(57)【要約】      （修正有）【課題】ペットトイレ用トレー上に用便した場合、排泄物臭が室内に充満することを防止する。【解決手段】本体１の上部の開口部分の一辺には、ヒンジ２が取付けられており、このヒンジ２によって蓋３が片開き状に枢支されており、本体１の上部開口部分をこの蓋３によって開閉自在に閉塞出来る様になっている。又、この蓋３の裏面即ち本体１側には内部に電動ファン４を内蔵した吸気ダクト５が固定されており、この吸気ダクト５の吸気側には、脱臭フィルター６が取り付けられている。更に蓋３の裏面には臭気を感知する臭気センサー７が固定されており、この臭気センサー７によって電動ファン４の起動をコントロールできるようになっている。【選択図】図１
0003125851.tif 000002
【実用新案登録請求の範囲】
【請求項１】
上部が開口した箱形をなした本体の前記開口部分に、片開き状に開閉出来る蓋を取付け、この蓋の内側に臭気を感知する臭気センサー及び電動ファンを内蔵した脱臭フィルター付きの吸気ダクトを設置すると共に、本体の側面に矩形状をなした開口部を設け、この開口部の上下部分から一方方向に平行に一対の案内レールを設け、この案内レール間に、前記開口部を開閉する様に左右方向にスライド自在な引き戸を設け、この引き戸の移動側と対向する側の開口部の外側上方にプーリーを軸支し、このプーリーの直下に垂直にシリンダーを設置し、このシリンダー内に、このシリンダーの内径よりわずかに小さい外径を有し、上下に小径のエアー通過孔が貫通していると共に、降下時に前記エアー通過孔を閉塞するワンウェイバルブを有するピストン状錘を滑動自在に位置させ、前記プーリーを介して引き戸の上端とピストン状錘との間にワイヤーを張架し、前記ピストン状錘の自重により、引き戸を開口部を閉塞する側に付勢し、更に、本体内にペットトイレ用トレーを取りはずし自在に載置せしめたことを特徴とするペット用ポータブルトイレ。
【考案の詳細な説明】
【技術分野】
【０００１】
この考案は、ペット用ポータブルトイレ、詳しくは、持ち運び自在で、ペットの排泄物臭の拡散を防ぐことの出来る便利なペット用のポータブルトイレに関するものである。
【背景技術】
【０００２】
室内で犬や猫などのペットを飼う場合、室内にペットトイレ用トレーを用意しておき、その上で用便させるのが一般的である。
【特許文献１】実用新案登録第３１１５１６５号公報
【非特許文献１】なし
【考案の開示】
【考案が解決しようとする課題】
【０００３】
しかしながら、ペットトイレ用トレー上に用便する様にしつけたとしても、ペットトイレ用トレーは室内に単に載置されているだけなので、用便後には排泄物臭が室内に拡散することは避けられず、室内にその悪臭が充満することになる。又、自動車による移動中にペットが用便した場合は、排泄物臭が狭い車内に充満してしまい、耐え難い状況となることは経験者なら周知の通りである。
【０００４】
一方、犬や猫はドアー（引き戸）を開ける程度の行動は、学習により可能となるので、本件考案者は、先に愛玩動物用出入り装置を実用新案第３１１５１６５号として提案した。この愛玩動物用出入り装置はペット自身が容易に開けることが出来、開いた後は、自動的にゆっくりと自然に閉まる様になっており、大変実用的価値の高いものであるが、この愛玩動物用出入り装置を応用してペットの用便の際の悪臭発生を防止出来ないか、鋭意研究を行った結果、今回新しいペット用ポータブルトイレを開発することに成功し、本考案としてここに提案するものである。
【課題を解決するための手段】
【０００５】
上部が開口した箱形をなした本体の前記開口部分に、片開き状に開閉出来る蓋を取付け、この蓋の内側に臭気を感知する臭気センサー及び電動ファンを内蔵した脱臭フィルター付きの吸気ダクトを設置すると共に、本体の側面に矩形状をなした開口部を設け、この開口部の上下部分から一方方向に平行に一対の案内レールを設け、この案内レール間に、前記開口部を開閉する様に左右方向にスライド自在な引き戸を設け、この引き戸の移動側と対向する側の開口部の外側上方にプーリーを軸支し、このプーリーの直下に垂直にシリンダーを設置し、このシリンダー内に、このシリンダーの内径よりわずかに小さい外径を有し、上下に小径のエアー通過孔が貫通していると共に、降下時に前記エアー通過孔を閉塞するワンウェイバルブを有するピストン状錘を滑動自在に位置させ、前記プーリーを介して引き戸の上端とピストン状錘との間にワイヤーを張架し、前記ピストン状錘の自重により、引き戸を開口部を閉塞する側に付勢し、更に、本体内にペットトイレ用トレーを取りはずし自在に載置せしめてペット用ポータブルトイレを構成することにより、上記課題を解決した。
【実施例】
【０００６】
図１はこの考案に係るペット用ポータブルトイレの一実施例の斜視図、図２乃至図４はその要部である開口部１３を本体１の内側から見た側面断面図である。図中１はポータブルトイレの本体であり、上部が開口した箱形となっており、犬や猫がその中に入れる程度の大きさであり、プラスチック等を素材としている。そして、この本体１の上部の開口部分の一辺には、ヒンジ２が取り付けられており、このヒンジ２によって蓋３が片開き状に枢支されており、本体１の上部開口部分をこの蓋３によって開閉自在に閉塞出来る様になっている。
【０００７】
又、この蓋３の裏面即ち本体１側には内部に電動ファン４を内蔵した吸気ダクト５が固定されており、この吸気ダクト５の吸気側には脱臭フィルター６が取り付けられている。脱臭フィルター６は脱臭剤とフィルターとを組み合わせたものであり、従来よりトイレや台所用などとして市販されているものと原理的に同じものである。なお、この実施例においては脱臭フィルター６は吸気ダクト５の吸気口側に取り付けたが、吸気ダクト５の排気口側に取り付けても良く、吸気口側と排気口側の両方に取り付けても良い。
【０００８】
更に、蓋３の裏面には臭気を感知する臭気センサー７が固定されており、この臭気センサー７によって電動ファン４の起動をコントロール出来る様になっている。なお、図中２４は外部電源（図示省略）との間に設けられたメインスイッチ、２３は外部電源に接続された給電用電線である。又、本体１の上部開口部分のヒンジ２が設けられている周縁部と対向する側の周縁部にはバックル８が設けられており、蓋３の対応する位置に設けられている係止片９に係合させることによって、蓋３を本体１に確実に固定出来る様になっている。
【０００９】
一方、本体１の側面の一つには矩形状をなした開口部１３があけられている。なお、この開口部１３は犬や猫などこのペット用ポータブルトイレを用いようとする動物が通過することが出来る寸法を有している。そして、図２乃至図４に詳記する様に、この開口部１３の上下縁に沿って平行に一対の案内レール１０，１０が設けられており、戸車１１を上縁及び下縁の左右に有する引き戸１２が、前記戸車１１を案内レール１０に係合させることにより、左右方向にスライド自在に位置せしめられている。そして、この引き戸１２には犬や猫がこの引き戸１２を引きやすくする為、ハンドルバー２５がその表裏に設けられている。
【００１０】
又、この引き戸１２の移動方向と対向する側の開口部１３の外側上方にはプーリー１４が軸支されており、このプーリー１４の直下には垂直に円筒状のシリンダー１５が位置せしめられている。この実施例においては、シリンダー１５は合成樹脂製であるが、金属製であっても良い。そして、このシリンダー１５内にはこのシリンダー１５の内径よりわずかに小さい外径を有する円柱状を呈したピストン状錘１６が滑動自在に位置せしめられており、このピストン状錘１６と前記引き戸１２の上端との間には、プーリー１４を介してワイヤー１７が張架されており、待機時においては、引き戸１２はピストン状錘１６の重さにより、シリンダー１５寄りの位置、つまり図２に示す様に、開口部１３を閉塞する位置に引き寄せられている。なお、シリンダー１５の内径とピストン状錘１６の外径とのすき間の寸法を適宜変えることにより、ピストン状錘１６の下降スピードを調整することが可能である。又、このピストン状錘１６には、その上下を貫通した小径のエアー通過孔１８が設けられていると共に、その下面にはこのピストン状錘１６の下降時にのみこのエアー通過孔１８を閉塞するワンウェイバルブ１９が設けられている。又、この開口部１３が形成されている側面と対向する側面には透明板２１が嵌め込まれた窓２０が設けられている。
【００１１】
そして、本体１の底面上にはペットトイレ用トレー２２が取りはずし自在に載置されており、このペットトイレ用トレー２２の上にはペットトイレ用砂あるいはペットトイレ用マットが敷かれている。ペットトイレ用トレー２２、ペットトイレ用砂、ペットトイレ用マットはいずれも市販品と同じである。
【００１２】
この実施例は上記の通りの構成を有するものであり、このペット用ポータブルトイレを室内や車内の適当な場所に載置し、給電用電線２３を外部電源に接続し、メインスイッチ２４をＯＮにしておく。待機状態においては、ピストン状錘１６の自重により、引き戸１２は図２に示す様に、開口部１３を覆った状態になっている。この状態において、犬や猫などの愛玩動物が便意を催し、本体１内に入ろうとして、引き戸１２を前足や頭部などで押し拡げると、図３に示す様に、引き戸１２はスライドし、それまで引き戸１２で覆われていた開口部１３が現われ、最終的には図４に示す状態になり、全開された開口部１３を通って犬や猫などの愛玩動物は本体１内に入り込む。なお、引き戸１２の側縁の側面にはハンドルバー２５が形成されているので、これを利用することにより、犬や猫などは容易に引き戸１２をスライドさせることが出来る。引き戸１２のスライドに伴い、図３及び図４に示す様にピストン状錘１６は上方に引き上げられるが、その際、ピストン状錘１６の上方のシリンダー１５中の空気はピストン状錘１６によって圧縮されるが、エアー通過孔１８及びワンウェイバルブ１９を通って、ピストン状錘１６の下方に移動するので、引き戸１２は抵抗感なくスムーズにスライドさせることが出来る。一方、開口部１３を犬や猫などが通過した後は、ピストン状錘１６はそれ自身の重量によりシリンダー１５内を下降するが、ピストン状錘１６の下面に設けられているワンウェイバルブ１９は、ピストン状錘１６の下降の際には閉じられるので、エアー通過孔１８からの空気の抜けはなく、シリンダー１５内に閉じ込められた空気はシリンダー１５の内壁とピストン状錘１６の外周壁とのわずかのすき間から少しずつ抜け出し、ピストン状錘１６は空気圧に支えられてゆっくりと下降し、引き戸１２の移動も緩やかに行われる。
【００１３】
この様にして、犬や猫などが開口部１３を通過した後、引き戸１２はゆっくりと戻り、開口部１３は閉塞され、本体１内は外部と遮断される。この状態で犬や猫はペットトイレ用トレー２２上で用便を行うのであるが、排泄物から発っせられる臭気は蓋３に固定されている臭気センサー７によって感知され、この感知に基づいて電動ファン４が起動されて、本体１内の排泄物臭を含んだ空気は吸気ダクト５内に吸引され、脱臭フィルター６を通ることによって脱臭処理された後、本体１内に環流される。なお、この実施例では、臭気センサー７の感知に基づいて自動的に電動ファン４が起動する様になっているが、手動によって電動ファン４を起動させる様にしても良い。
【００１４】
この様にして、用便が済んだ犬や猫は、入ったときと同様に引き戸１２を押し拡げて開口部１３から外に出る。飼い主は、用便後、バックル８を解除して、蓋３を上方に開いて上部開口部からペットトイレ用トレー２２を外部に取り出し、排泄物の撤去、ペットトイレ用トレー２２の洗浄等を行い、ペットトイレ用トレー２２を本体１内にセットし直し、再度の用便に備える。
【００１５】
この様に、この考案に係るペット用ポータブルトイレにおいては、犬や猫の用便中及び用便後は、排泄物臭を含んだ空気が外部へ漏れ出すことが防止されると共に、外部と遮断され、内蔵された脱臭フィルター及び電動ファンによって内部の空気に対して脱臭処理が加えられるので、室内や自動車内における犬や猫などのペットの用便の際の排泄物臭を大幅に低減させることが可能で、ペットの用便に伴う強烈な排泄物臭に悩まされることがなくなり、人間とペットとの共生をよりスムーズに実施出来る効果を有する。
【図面の簡単な説明】
【００１６】
【図１】この考案に係るペット用ポータブルトイレの一実施例の斜視図。
【図２】同じく、その開口部１３が閉じた状態を本体１の内側から見た側面断面図。
【図３】同じく、その開口部１３が開きかけた状態を本体１の内側から見た側面断面図。
【図４】同じく、その開口部１３が完全に開いた状態を本体１の内側から見た側面断面図。
【符号の説明】
【００１７】
１      本体
２      ヒンジ
３      蓋
４      電動ファン
５      吸気ダクト
６      脱臭フィルター
７      臭気センサー
８      バックル
９      係止片
１０      案内レール
１１      戸車
１２      引き戸
１３      開口部
１４      プーリー
１５      シリンダー
１６      ピストン状錘
１７      ワイヤー
１８      エアー通過孔
１９      ワンウェイバルブ
２０      窓
２１      透明板
２２      ペットトイレ用トレー
２３      給電用電線
２４      メインスイッチ
２５      ハンドルバー
【図１】
0003125851.tif 000003
【図２】
0003125851.tif 000004
【図３】
0003125851.tif 000005
【図４】
0003125851.tif 000006